(57)【要約】【課題】  監視制御機能を低下させずに非線形光学効果を抑制することができる伝送装置、伝送システム、及び伝送方法を提供する。【解決手段】  伝送装置は、主信号光を、伝送路を介して他の伝送装置に伝送する伝送装置において、前記伝送装置及び前記他の伝送装置の監視制御に関する信号に基づく強度変調により監視信号光を生成する生成部と、前記監視信号光を前記主信号光に合波する合波部と、前記他の伝送装置から前記監視信号光の受光状態に関する受光情報を取得する取得部と、前記受光情報に応じて前記強度変調の変調度を制御する制御部とを有する。【選択図】図１Ａ
2020202469.tif 000002
【特許請求の範囲】
【請求項１】
主信号光を、伝送路を介して他の伝送装置に伝送する伝送装置において、
前記伝送装置及び前記他の伝送装置の監視制御に関する信号に基づく強度変調により監視信号光を生成する生成部と、
前記監視信号光を前記主信号光に合波する合波部と、
前記他の伝送装置から前記監視信号光の受光状態に関する受光情報を取得する取得部と、
前記受光情報に応じて前記強度変調の変調度を制御する制御部とを有することを特徴とする伝送装置。
【請求項２】
前記受光情報は、前記他の伝送装置における前記監視信号光の受光パワーを示し、
前記制御部は、前記受光パワーに応じて前記強度変調の変調度を制御することを特徴とする請求項１に記載の伝送装置。
【請求項３】
前記受光情報は、前記他の伝送装置における前記監視制御に関する信号の受信の完了を示し、
前記制御部は、前記強度変調の変調度を、前記受光情報が取得される範囲内の値に制御することを特徴とする請求項１に記載の伝送装置。
【請求項４】
前記生成部は、前記監視信号光を出力するレーザダイオードと、前記強度変調に用いられる変調電流を前記レーザダイオードに出力する変調回路と、前記変調回路の電源ラインに接続された可変抵抗器とを有し、
前記制御部は、前記受光情報に応じて前記可変抵抗器の抵抗値を調整することにより前記強度変調の変調度を制御することを特徴とする請求項１乃至３の何れかに記載の伝送装置。
【請求項５】
前記生成部は、前記監視信号光を出力するレーザダイオードと、前記強度変調に用いられる変調電流を前記レーザダイオードに出力する変調回路と、前記変調回路の電源ラインに接続された抵抗器とを有し、
前記制御部は、前記抵抗器に印加される電圧を前記受光情報に応じて調整することにより前記強度変調の変調度を制御することを特徴とする請求項１乃至３の何れかに記載の伝送装置。
【請求項６】
主信号光を、伝送路を介して他の伝送装置に伝送する第１伝送装置と、
前記第１伝送装置から前記伝送路を介して前記主信号光を受光する第２伝送装置とを有し、
前記第１伝送装置は、
前記第１伝送装置及び前記第２伝送装置の監視制御に関する信号に基づく強度変調により監視信号光を生成する生成部と、
前記監視信号光を前記主信号光に合波する合波部と、
前記第２伝送装置から前記監視信号光の受光状態に関する受光情報を取得する取得部と、
前記受光情報に応じて前記強度変調の変調度を制御する制御部とを有し、
前記第２伝送装置は、
前記伝送路から入力された前記主信号光及び前記監視信号光を分波する分波部と、
前記監視信号光の前記受光状態を検出する検出部と、
前記検出部が検出した前記受光状態から前記受光情報を生成して前記第１伝送装置に通知する通知部とを有することを特徴とする伝送システム。
【請求項７】
主信号光を、伝送装置から伝送路を介して他の伝送装置に伝送する伝送方法において、
前記伝送装置及び前記他の伝送装置の監視制御に関する信号に基づく強度変調により監視信号光を生成し、
前記監視信号光を前記主信号光に合波し、
前記他の伝送装置から前記監視信号光の受光状態に関する受光情報を取得し、
前記受光情報に応じて前記強度変調の変調度を制御することを特徴とする伝送方法。
【発明の詳細な説明】
【技術分野】
【０００１】
本件は、伝送装置、伝送システム、及び伝送方法に関する。
【背景技術】
【０００２】
例えば、複数の波長光が波長多重された主信号光に伝送システムの監視信号光を合波して伝送する伝送装置がある（例えば特許文献１参照）。
【先行技術文献】
【特許文献】
【０００３】
【特許文献１】特開２００９−１５９２９０号公報
【発明の概要】
【発明が解決しようとする課題】
【０００４】
監視信号光の送信パワーが高くなると、伝送路中で主信号光と監視信号光に相互位相変調などの非線形光学効果が生じることにより主信号光の伝送品質が低下するおそれがある。これに対し監視信号光のパワーを低下させれば非線形光学効果を抑制し得るが、監視信号光のパワーが不足することにより監視信号光が正常に受信されず、伝送装置の監視制御機能が低下するおそれがある。
【０００５】
そこで本件は、監視制御機能を低下させずに非線形光学効果を抑制することができる伝送装置、伝送システム、及び伝送方法を提供することを目的とする。
【課題を解決するための手段】
【０００６】
１つの態様では、伝送装置は、主信号光を、伝送路を介して他の伝送装置に伝送する伝送装置において、前記伝送装置及び前記他の伝送装置の監視制御に関する信号に基づく強度変調により監視信号光を生成する生成部と、前記監視信号光を前記主信号光に合波する合波部と、前記他の伝送装置から前記監視信号光の受光状態に関する受光情報を取得する取得部と、前記受光情報に応じて前記強度変調の変調度を制御する制御部とを有する。
【０００７】
１つの態様では、伝送システムは、主信号光を、伝送路を介して他の伝送装置に伝送する第１伝送装置と、前記第１伝送装置から前記伝送路を介して前記主信号光を受光する第２伝送装置とを有し、前記第１伝送装置は、前記第１伝送装置及び前記第２伝送装置の監視制御に関する信号に基づく強度変調により監視信号光を生成する生成部と、前記監視信号光を前記主信号光に合波する合波部と、前記第２伝送装置から前記監視信号光の受光状態に関する受光情報を取得する取得部と、前記受光情報に応じて前記強度変調の変調度を制御する制御部とを有し、前記第２伝送装置は、前記伝送路から入力された前記主信号光及び前記監視信号光を分波する分波部と、前記監視信号光の前記受光状態を検出する検出部と、前記検出部が検出した前記受光状態から前記受光情報を生成して前記第１伝送装置に通知する通知部とを有する。
【０００８】
１つの態様では、伝送方法は、主信号光を、伝送装置から伝送路を介して他の伝送装置に伝送する伝送方法において、前記伝送装置及び前記他の伝送装置の監視制御に関する信号に基づく強度変調により監視信号光を生成し、前記監視信号光を前記主信号光に合波し、前記他の伝送装置から前記監視信号光の受光状態に関する受光情報を取得し、前記受光情報に応じて前記強度変調の変調度を制御する方法である。
【発明の効果】
【０００９】
１つの側面として、伝送装置の監視制御機能を低下させずに非線形光学効果を抑制することができる。
【図面の簡単な説明】
【００１０】
【図１Ａ】伝送システムの一例を示す構成図である。
【図１Ｂ】変調度の制御に関するＦＰＧＡ（Field Programmable Gate Array）の機能の一例を示す構成図である。
【図２】レーザダイオードの駆動電流に対する光パワーの変化例と光波形の一例とを示す図である。
【図３】ＦＰＧＡ及び送信部の一例を示す構成図である。
【図４】受光パワーと変調度の関係の一例を示す図である。
【図５】調整抵抗器の抵抗値に対する変調電流の変化の一例を示す図である。
【図６】ＦＰＧＡ及び送信部の他の例を示す構成図である。
【図７】変調度の設定処理の一例を示すフローチャートである。
【図８】監視信号光の受信処理の一例を示すフローチャートである。
【図９】監視制御情報の受信完了の通知処理の一例を示すフローチャートである。
【図１０】変調度の設定処理の他の例を示すフローチャートである。
【発明を実施するための形態】
【００１１】
図１Ａは、伝送システムの一例を示す構成図である。伝送システムは、光ファイバなどの伝送路９０，９１を介して接続された一組の伝送装置１ａ，１ｂを有する。
【００１２】
伝送装置１ａ，１ｂは、例えばＲＯＡＤＭ（Reconfigurable Optical Add-and-Drop Multiplexer）などの波長多重伝送装置である。伝送装置１ａ，１ｂは、波長が相違する複数の波長光を波長多重した主信号光Ｓｍ，Ｓｍ’を他方の伝送装置１ｂ，１ａに伝送する。後述の例では伝送装置１ａから伝送路９０を介して伝送装置１ｂに主信号光Ｓｍを伝送する処理を挙げるが、伝送装置１ｂから伝送路９１を介して伝送装置１ａに主信号光Ｓｍ’を伝送する処理もこれと同様に行われる。
【００１３】
伝送装置１ａは、第１伝送装置の一例であり、主信号光Ｓｍを伝送路９０に送信する。主信号光Ｓｍには、イーサネット（登録商標、以下同様）フレームなどのユーザデータを含む複数の波長光が波長多重されている。伝送装置１ｂは、第２伝送装置の一例であり、伝送装置１ａから伝送路９０を介して主信号光Ｓｍを受信する。符号Ｒａは、伝送装置１ａから伝送装置１ｂに伝送される主信号光Ｓｍの経路を示し、符号Ｒｄは、伝送装置１ｂから伝送装置１ａに伝送される主信号光Ｓｍ’の経路を示す。
【００１４】
また、伝送装置１ａ，１ｂは、伝送装置１ａ，１ｂの監視制御に関する信号（警報など。以下、「監視信号」と表記。）に基づいて光を強度変調することにより監視信号光Ｓｃを生成し、主信号光Ｓｍ，Ｓｍ’に合波して他方の伝送装置１ｂ，１ａに伝送する。監視信号光Ｓｃは、例えばＯＳＣ（Optical Supervisory Channel）光である。監視信号光Ｓｃ，Ｓｃ’は、主信号光Ｓｍ，Ｓｍ’に含まれる波長光の波長帯とは所定の波長帯域分だけ離れた波長を有する。符号Ｒｂは、伝送装置１ａから伝送装置１ｂに伝送される監視信号光Ｓｃの経路を示し、符号Ｒｃは、伝送装置１ｂから伝送装置１ａに伝送される監視信号光Ｓｃ’の経路を示す。
【００１５】
監視信号光Ｓｃの送信パワーが強すぎると、伝送路９０中で主信号光Ｓｍと監視信号光Ｓｃに相互位相変調などの非線形光学効果が生じることにより主信号光Ｓｍの伝送品質が低下するおそれがある。
【００１６】
そこで、伝送装置１ａは、他方の伝送装置１ｂから監視信号光Ｓｃの受光状態に関する受光情報を取得し、受光情報に応じて監視信号光Ｓｃの強度変調の変調度を制御する。非線形光学効果は、強度変調の変調度が大きいほど、監視信号光Ｓｃの送信パワーの変化量が大きくなって光位相の変化量も増えるため、顕著となる。
【００１７】
このため、伝送装置１ａは、受光情報により監視信号光Ｓｃの受光状態を監視しつつ変調度を適切な値まで低下させることにより、監視信号光Ｓｃの伝送品質の要求を満たしつつ、監視信号光Ｓｃの送信パワーの変化量を低減することができる。したがって、伝送装置１ａは、監視制御機能を低下させずに非線形光学効果を抑制することができる。
【００１８】
また、伝送装置１ａは、監視信号光Ｓｃの送信パワーではなく、変調度を低下させるため、例えば可変光減衰器などの送信パワーの低下手段を備える必要がない。このため、伝送装置１ａの規模が低減される。以下に伝送装置１ａ，１ｂの構成を述べる。
【００１９】
伝送装置１ａは、ＦＰＧＡ１０ａと、メモリ１２ａと、ＳＦＰ（Small Form-factor Pluggable）２０ａと、光アンプ３０ａ，３１ａとを有する。伝送装置１ａは、さらに光スプリッタ２３ａと、フィルタ３３ａ，３４ａと、ＰＤ（Photo Diode）２５ａとを有する。また、伝送装置１ｂは、伝送装置１ａと同様に、ＦＰＧＡ１０ｂと、メモリ１２ｂと、ＳＦＰ２０ｂと、光アンプ３０ｂ，３１ｂと、光スプリッタ２３ｂと、フィルタ３３ｂ，３４ｂと、ＰＤ２５ｂとを有する。なお、伝送装置１ａ，１ｂは、ＦＰＧＡ１０ａ，１０ｂに代えて、ＡＳＩＣ（Application Specified Integrated Circuit）などの他の回路を備えてもよい。
【００２０】
光アンプ３０ａ，３０ｂは、隣接ノードから入力された主信号光Ｓｍ，Ｓｍ’をそれぞれ増幅する。ＦＰＧＡ１０ａ，１０ｂは光アンプ３０ａ，３０ｂの利得をそれぞれ制御する。主信号光Ｓｍは光アンプ３０ａからフィルタ３３ａに入力され、主信号光Ｓｍ’は光アンプ３０ｂからフィルタ３３ｂに入力される。
【００２１】
ＳＦＰ２０ａ，２０ｂは、それぞれ、伝送装置１ａ，１ｂに着脱自在な光モジュールである。ＳＦＰ２０ａ，２０ｂは、監視信号光Ｓｃ，Ｓｃ’を送信する送信部（Ｔｘ）２００ａ，２００ｂと、監視信号光Ｓｃ，Ｓｃ’を受信する受信部（Ｒｘ）２０１ａ，２０１ｂとをそれぞれ有する。
【００２２】
送信部２００ａ，２００ｂは、監視信号に基づく強度変調により監視信号光Ｓｃ，Ｓｃ’を生成する。送信部２００ａ，２００ｂは、後述するように、監視信号光Ｓｃ，Ｓｃ’を出力するレーザダイオードなどを備える。監視信号光Ｓｃ，Ｓｃ’は、送信部２００ａ，２００ｂからフィルタ３３ａ，３３ｂにそれぞれ入力される。なお、送信部２００ａは生成部の一例である。
【００２３】
フィルタ３３ａは、合波部の一例であり、監視信号光Ｓｃを主信号光Ｓｍに合波する。フィルタ３３ｂは、監視信号光Ｓｃ’を主信号光Ｓｍ’に合波する。フィルタ３３ａ，３３ｂとしては、例えば波長多重機能を備える光フィルタが挙げられるが、これに限定されない。監視信号光Ｓｃ及び主信号光Ｓｍの合波光はフィルタ３３ａから伝送路９０に出力され、監視信号光Ｓｃ’及び主信号光Ｓｍ’の合波光はフィルタ３３ｂから伝送路９１に出力される。
【００２４】
監視信号光Ｓｃ及び主信号光Ｓｍの合波光は、伝送路９０からフィルタ３４ｂに入力される。フィルタ３４ｂは、分波部の一例であり、伝送路９０から入力された合波光から主信号光Ｓｍ及び監視信号光Ｓｃを分波する。
【００２５】
また、監視信号光Ｓｃ’及び主信号光Ｓｍ’の合波光は伝送路９１からフィルタ３４ａに入力される。フィルタ３４ａは伝送路９１から入力された合波光から主信号光及び監視信号光Ｓｃ’を分波する。フィルタ３４ａ，３４ｂとしては、例えば波長分離機能を備える光フィルタが挙げられるが、これに限定されない。
【００２６】
主信号光Ｓｍ，Ｓｍ’はフィルタ３４ａ，３４ｂから光アンプ３１ａ，３１ｂにそれぞれ入力される。光アンプ３１ａ，３１ｂは主信号光Ｓｍ，Ｓｍ’をそれぞれ増幅する。ＦＰＧＡ１０ａ，１０ｂは光アンプ３１ａ，３１ｂの利得をそれぞれ制御する。主信号光Ｓｍ，Ｓｍ’は光アンプ３１ａ，３１ｂから隣接ノードにそれぞれ出力される。
【００２７】
監視信号光Ｓｃはフィルタ３４ｂから光スプリッタ２３ｂに入力され、監視信号光Ｓｃ’はフィルタ３４ａから光スプリッタ２３ａに入力される。光スプリッタ２３ｂは、監視信号光Ｓｃを分岐させてＳＦＰ２０ｂとＰＤ２５ｂに導き、光スプリッタ２３ａは、監視信号光Ｓｃ’を分岐させてＳＦＰ２０ａとＰＤ２５ａに導く。
【００２８】
ＳＦＰ２０ａ，２０ｂの受信部２０１ａ，２０１ｂは、監視信号光Ｓｃ，Ｓｃ’を受信して電気的な監視信号に変換してＦＰＧＡ１０ａ，１０ｂにそれぞれ出力する。受信部２０１ａ，２０１ｂは、監視信号光Ｓｃ，Ｓｃ’を監視信号に変換するためのＰＤなどを有する。
【００２９】
ＦＰＧＡ１０ａ，１０ｂは、監視信号のペイロードデータから、伝送装置１ａ，１ｂの監視制御に関する監視制御情報をそれぞれ取得する。ＦＰＧＡ１０ａは、例えば監視制御情報に基づき光アンプ３０ａ，３１ａの利得を制御する。ＦＰＧＡ１０ｂは、例えば監視制御情報に基づき光アンプ３０ｂ，３１ｂの利得を制御する。
【００３０】
ＰＤ２５ｂは、検出部の一例であり、監視信号光Ｓｃの受光状態を検出する。ＰＤ２５ｂは、監視信号光Ｓｃを光−電気変換することによりその受光パワーを検出する。監視信号光Ｓｃの受光パワーの情報（以下、「パワー情報」と表記）は、受光情報としてＰＤ２５ｂからＦＰＧＡ１０ｂに入力される。
【００３１】
ＦＰＧＡ１０ｂは、パワー情報を監視信号のペイロードデータに挿入してＳＦＰ２０ｂに出力する。また、ＰＤ２５ａは、監視信号光Ｓｃ’を光−電気変換することによりその受光パワーを検出してＦＰＧＡ１０ａに通知する。
【００３２】
ＳＦＰ２０ｂの送信部２００ｂは監視信号を電気−光変換することにより監視信号光Ｓｃ’を生成して出力する。これにより、パワー情報は、監視信号光Ｓｃを受信した伝送装置１ｂから、監視信号光Ｓｃの送信元の伝送装置１ａに通知される。このように、受信側の伝送装置１ｂのＦＰＧＡ１０ｂは、ＰＤ２５ｂが検出した監視信号光Ｓｃの受光パワーを送信側の伝送装置１ａに通知する。なお、ＦＰＧＡ１０ｂは通知部の一例である。
【００３３】
送信側の伝送装置１ａのＳＦＰ２０ａは、受信側の伝送装置１ｂから監視信号光Ｓｃ’を受信する。ＳＦＰ２０ａの受信部２０１ａは、監視信号光Ｓｃ’を光−電気変換することにより監視信号を再生してＦＰＧＡ１０ａに出力する。監視信号には、受信側の伝送装置１ｂにおける監視信号光Ｓｃのパワー情報が含まれる。
【００３４】
このように、受信部２０１ａは、受信側の伝送装置１ｂからパワー情報を取得する。ＦＰＧＡ１０ａは、監視信号のペイロードデータからパワー情報を抽出する。なお、受信部２０１ａは取得部の一例である。
【００３５】
ＦＰＧＡ１０ａは、制御部の一例であり、パワー情報が示す受光パワーに応じて監視信号光Ｓｃの強度変調の変調度を制御する。
【００３６】
図１Ｂは、変調度の制御に関するＦＰＧＡ１０ａの機能の一例を示す構成図である。なお、本例では送信側の伝送装置１ａのＦＰＧＡ１０ａを挙げるが、受信側の伝送装置１ｂのＦＰＧＡ１０ｂもこれと同様の機能を有する。
【００３７】
ＦＰＧＡ１０ａは、変調度設定機能１０８及び変調度算出機能１０９を有する。また、メモリ１２ａには、変調度データベース（ＤＢ）１２０が格納されている。変調度ＤＢ１２０は、後述するように、受光パワーと変調度の関係が登録されている。
【００３８】
ＦＰＧＡ１０ａは、受信部２０１ａから監視信号を受信することにより監視信号光Ｓｃのパワー情報を取得する。ＦＰＧＡ１０ａは、変調度算出機能１０９によりパワー情報に基づき変調度ＤＢ１２０を参照することにより変調度を算出する。
【００３９】
次にＦＰＧＡ１０ａは、変調度設定機能１０８により変調度を送信部２００ａに設定する。このとき、ＦＰＧＡ１０ａは、送信部２００ａのレーザダイオードの駆動電流を変化させる。
【００４０】
図２は、レーザダイオードの駆動電流（mA）に対する光パワー（mW）の変化例（符号８１参照）と光波形の一例（符号８２参照）とを示す図である。レーザダイオードの光パワーは、駆動電流が大きいほど、大きくなる。
【００４１】
変調度が１００（%）である場合、例えばレーザダイオードの駆動電流が０（mA）からＩｍａｘ（mA）までの範囲内で制御されることにより、光パワーは、平均光パワーＰａｖ（mW）を中心として、０（mW）からＰｍａｘ（mW）までの範囲内で変化する。なお、駆動電流の範囲は、上記に限定されず、レーザダイオードから光が出力される閾値に応じ、例えば数十(mA)からＩｍａｘ（mA）までとしてもよい。また、変調度が５０（%）である場合、例えばレーザダイオードの駆動電流がＩＬ（mA）（＞Ｉｍｉｎ）からＩＨ（mA）（＜Ｉｍａｘ）までの範囲内で制御されることにより、光パワーは、平均光パワーＰａｖ（mW）を中心として、（１／２）Ｐａｖ（mW）から（３／２）Ｐａｖ（mW）までの範囲内で変化する。
【００４２】
このように、ＦＰＧＡ１０ａは、駆動電流の範囲を狭めることにより光パワーの変化量を低減する。これにより、監視信号光Ｓｃと主信号光Ｓｍの間の非線形光学効果が低減される。なお、レーザダイオードは、平均光パワーＰａｖ（mW）が一定となるようにバイアス電流が制御される。
【００４３】
次にＦＰＧＡ１０ａ及び送信部２００ａの構成を説明する。
【００４４】
図３は、ＦＰＧＡ１０ａ及び送信部２００ａの一例を示す構成図である。本例では、監視信号光Ｓｃの送信側の伝送装置１ａのＦＰＧＡ１０ａ及び送信部２００ａを挙げるが、監視信号光Ｓｃの受信側の伝送装置１ｂのＦＰＧＡ１０ｂ及び送信部２００ｂも、これと同様の構成を有する。
【００４５】
ＦＰＧＡ１０ａは、伝送制御部１００、信号出力部１０１、及びインターフェース（ＩＦ）部１０２を有する。伝送制御部１００及び信号出力部１０１はＦＰＧＡ１０ａ内の回路として形成されるが、例えばＣＰＵ（Central Processing Unit）がメモリからプログラムを読み出すことにより形成される機能であってもよい。
【００４６】
伝送制御部１００は、伝送装置１ｂに対する監視信号光Ｓｃの伝送を制御する。伝送制御部１００は、光アンプ３０ａ，３１ａと通信することにより監視制御情報を生成して信号出力部１０１に出力する。また、伝送制御部１００は、ＰＤ２５ａから入力された信号から伝送装置１ｂの監視信号光Ｓｃ’のパワー情報を生成して信号出力部１０１に出力する。
【００４７】
信号出力部１０１は、監視制御情報及びパワー情報から正相及び逆相の各データ信号Ｔｐ，Ｔｎを生成して送信部２００ａに出力する。
【００４８】
また、伝送制御部１００には、受信部２０１ａから、監視信号光Ｓｃ’の変換により得られた監視信号が入力される。伝送制御部１００は、監視信号に含まれるパワー情報に応じた変調度を決定する。なお、この伝送制御部１００の機能は変調度算出機能１０９に該当する。
【００４９】
伝送制御部１００は、例えばメモリ１２ａに格納された変調度ＤＢ１２０からパワー情報に応じた変調度を算出する。
【００５０】
図４は、受光パワーと変調度の関係の一例を示す図である。横軸は、パワー情報が示す受光パワー（dBm）を示し、縦軸は、監視制御情報の正常な受信に必要な変調度（%）を示す。なお、変調度は、例えば、監視制御情報の正常な受信に必要な最低値または最低値に所定のマージンを加えた値である。
【００５１】
メモリ１２ａには、上述したように、受光パワーと変調度の関係を示す変調度ＤＢ１２０が格納され、伝送制御部１００は、パワー情報が示す受光パワーに基づき変調度ＤＢ１２０を参照することにより変調度を決定する。例えば伝送制御部１００は、受光パワーがＰａである場合、変調度を５０（%）に決定し、受光パワーがＰｂ（＞Ｐａ）である場合、変調度を１０（%）に決定する。このため、受光パワーが大きいほど、変調度は低くなる。なお、メモリ１２ｂにも、メモリ１２ａ内の変調度ＤＢ１２０と同様のデータベースが格納されており、ＦＰＧＡ１０ｂは、データベースを参照することにより変調度を制御する。
【００５２】
このように、伝送制御部１００は、パワー情報が示す受光パワーに応じて変調度を制御する。このため、伝送装置１ａは、例えば伝送路９０における監視信号光Ｓｃの伝送損失などに応じて高精度に変調度を制御することができる。なお、伝送制御部１００は、データベースを用いなくても、例えば図２に示される関係性を示す所定の算出式から変調度を決定してもよい。
【００５３】
再び図３を参照すると、送信部２００ａは、電源ライン５０、インターフェース（ＩＦ）回路５１、設定レジスタ５２、調整抵抗器５３、ドライバ回路５４、コイル５５、レーザダイオード（LD: Laser Diode）５６、及びＰＤ５７を有する。
【００５４】
ドライバ回路５４は、監視信号光Ｓｃを出力するレーザダイオード５６を駆動する。ドライバ回路５４は電源ライン５０から給電される。電源ライン５０とドライバ回路５４の間には調整抵抗器５３が接続されている。
【００５５】
調整抵抗器５３は、可変抵抗器の一例であり、設定レジスタ５２により抵抗値Ｒｖが設定される。調整抵抗器５３としては例えばポテンショメータが挙げられるが、これに限定されない。インターフェース回路５１は、ＦＰＧＡ１０ａのインターフェース部１０２と、例えばＩ２Ｃ（Inter-Integrated Circuit）またはＳＰＩ（Serial Peripheral Interface）などにより通信する。
【００５６】
伝送制御部１００は、パワー情報が示す受光パワーに応じた抵抗値Ｒｖをインターフェース部１０２に指示する。インターフェース部１０２は、抵抗値Ｒｖに基づき設定レジスタ５２を設定する。なお、インターフェース部１０２は変調度設定機能１０８に該当する。
【００５７】
例えば設定レジスタ５２は、調整抵抗器５３に対して並列接続された抵抗値を設定することにより調整抵抗器５３の抵抗値Ｒｖを設定する。これにより、ＦＰＧＡ１０ａは、調整抵抗器５３の抵抗値Ｒｖを制御することができる。
【００５８】
ドライバ回路５４には、信号出力部１０１から正相及び逆相の各データ信号Ｔｐ，Ｔｎが入力される。ドライバ回路５４は、正相及び逆相の各データ信号Ｔｐ，Ｔｎから変調電流Ｉｍを生成してレーザダイオード５６に出力する。
【００５９】
また、ドライバ回路５４は、監視信号光Ｓｃの平均光パワーＰａｖが一定値に維持されるようにバイアス電流Ｉｂをレーザダイオード５６に出力する。バイアス電流Ｉｂは、コイル５５を介してレーザダイオード５６に入力される。このため、バイアス電流Ｉｂは、時間による変動分が平滑化される。
【００６０】
ＰＤ５７は、レーザダイオード５６から出力された監視信号光Ｓｃの光パワーを監視する。ＰＤ５７は、監視信号光Ｓｃを電気信号に変換してドライバ回路５４に出力する。ドライバ回路５４は、ＰＤ５７からの電気信号に基づきバイアス電流Ｉｂをフィードバック制御する。
【００６１】
ドライバ回路５４は、信号変換回路５４０、パルス変調回路５４１、バイアス回路５４２、及びパワー制御回路５４３を有する。パワー制御回路５４３はＰＤ５７と接続されている。パワー制御回路５４３は、ＰＤ５７からの電気信号に基づいて監視信号光Ｓｃの平均光パワーＰａｖを検出して、その検出値をバイアス回路５４２に通知する。
【００６２】
バイアス回路５４２は、平均光パワーＰａｖが一定となるようにバイアス電流Ｉｂを制御する。
【００６３】
信号変換回路５４０は、例えば正相及び逆相の各データ信号Ｔｐ，Ｔｎの電圧レベルを変換してパルス変調回路５４１に出力する。パルス変調回路５４１は、変調回路の一例であり、正相及び逆相の各データ信号Ｔｐ，Ｔｎから変調電流Ｉｍを生成してレーザダイオード５６に出力する。変調電流Ｉｍは、バイアス電流Ｉｂと合流してレーザダイオード５６に入力され、監視信号光Ｓｃの強度変調に用いられる。
【００６４】
パルス変調回路５４１は、正相及び逆相の各データ信号Ｔｐ，Ｔｎの電圧レベルから監視信号の論理レベル（「０」または「１」）を判定し、判定結果に応じてパルス状の変調電流Ｉｍを生成する（符号Ｇａ参照）。変調電流Ｉｍは、パルス変調回路５４１に接続された調整抵抗器５３の抵抗値Ｒｖに応じて変化することによりパルスの大きさＨが変化する。
【００６５】
図５は、調整抵抗器５３の抵抗値Ｒｖに対する変調電流Ｉｍの変化の一例を示す図である。横軸は抵抗値Ｒｖ（kΩ）を示し、縦軸は変調電流Ｉｍ（mA）を示す。なお、横軸及び縦軸のスケールは対数で規定されている。
【００６６】
抵抗値ＲｖがＲｔｈ（kΩ）以上の範囲において、抵抗値Ｒｖが大きいほど、変調電流Ｉｍは小さくなる。伝送制御部１００は、変調度が受光パワーに応じた値となるように抵抗値Ｒｖを調整することにより変調電流Ｉｍを制御する。
【００６７】
例えば伝送制御部１００は、変調度を９０（%）に制御する場合、抵抗値ＲｖをＲ１（kΩ）（＜Ｒｔｈ）とすることにより変調電流ＩｍをＩ１（mA）に制御する。また、伝送制御部１００は、変調度を２０（%）に制御する場合、抵抗値ＲｖをＲ２（kΩ）（＞Ｒｔｈ）とすることにより変調電流ＩｍをＩ２（mA）（＜Ｉ１）に制御する。また、伝送制御部１００は、変調度を２（%）に制御する場合、抵抗値ＲｖをＲ３（kΩ）（＞Ｒ２）とすることにより変調電流ＩｍをＩ３（mA）（＜Ｉ２）に制御する。
【００６８】
このように、伝送制御部１００は、パワー情報に応じて調整抵抗器５３の抵抗値Ｒｖを調整することにより強度変調の変調度を制御する。このため、伝送制御部１００は、汎用的なドライバ回路５４に対して変調度を制御することができる。
【００６９】
また、伝送制御部１００は、抵抗値Ｒｖに代えて電源ライン５０の供給電圧を調整してもよい。
【００７０】
図６は、ＦＰＧＡ１０ａ及び送信部２００ａの他の例を示す構成図である。図６において、図３と共通する構成には同一の符号を付し、その説明は省略する。
【００７１】
ＦＰＧＡ１０ａは、伝送制御部１００ａ、信号出力部１０１、及び電圧変更部１０６を有する。電圧変更部１０６は、例えばデジタル−アナログ変換器であり、パルス変調回路５４１の電源ライン５０に接続されている。
【００７２】
送信部２００ａは、インターフェース回路５１、設定レジスタ５２、及び調整抵抗器５３に代えて、調整抵抗器５３ａを有する。調整抵抗器５３ａは、抵抗器の一例であり、所定の抵抗値を有する。
【００７３】
パルス変調回路５４１は、調整抵抗器５３ａを介して電源ライン５０に接続されている。パルス変調回路５４１は、電源ライン５０から給電される。
【００７４】
電圧変更部１０６は、伝送制御部１００ａから指示された電圧に従って、調整抵抗器５３ａに印加される電圧Ｅを変更する。伝送制御部１００ａは、変調度に応じた電圧を電圧変更部１０６に指示する。
【００７５】
調整抵抗器５３ａの抵抗値は固定値であるため、調整抵抗器５３ａからパルス変調回路５４１に流れる供給電流Ｉｓは、符号Ｇｂで示されるように電圧Ｅに対して比例する。このため、パルス変調回路５４１は、電圧Ｅに応じた変調電流Ｉｍをレーザダイオード５６に出力する。
【００７６】
このように、伝送制御部１００ａは、調整抵抗器５３ａに印加される電圧をＥをパワー情報に応じて調整することにより強度変調の変調度を制御する。このため、伝送制御部１００は、汎用的なドライバ回路５４に対して変調度を制御することができる。
【００７７】
次に伝送装置１ａ，１ｂによる伝送方法について述べる。
【００７８】
図７は、変調度の設定処理の一例を示すフローチャートである。本処理は、監視信号光Ｓｃを送信する場合に実行される。なお、以下の例では伝送装置１ａの動作を挙げるが、他方の伝送装置１ｂも伝送装置１ａと同様に動作する。
【００７９】
ＦＰＧＡ１０ａは、光アンプ３０ａ，３０ｂと通信することにより監視制御情報を含む監視信号を生成する（ステップＳｔ１）。監視信号はＳＦＰ２０ａの送信部２００ａに入力される。
【００８０】
次に送信部２００ａは、監視信号に基づく強度変調により監視信号光Ｓｃを生成する（ステップＳｔ２）。監視信号光Ｓｃはフィルタ３３ａに入力される。
【００８１】
次にフィルタ３３ａは、光アンプ３０ａから入力された主信号光Ｓｍと、監視信号光Ｓｃとを合波する（ステップＳｔ３）。次に主信号光Ｓｍと監視信号光Ｓｃの合波光はフィルタ３３ａから伝送路９０に出力される（ステップＳｔ４）。
【００８２】
次に受信部２０１ａは、他方の伝送装置１ｂから監視信号光Ｓｃ’を受信する（ステップＳｔ５）。受信部２０１ａは、監視信号光Ｓｃ’を電気的な監視信号に変換してＦＰＧＡ１０ａに出力する。
【００８３】
次にＦＰＧＡ１０ａは監視信号からパワー情報を抽出する（ステップＳｔ６）。次にＦＰＧＡ１０ａは、パワー情報に基づいて、図４に示されるようなメモリ１２ａ内の変調度ＤＢ１２０を参照することにより変調度を決定する（ステップＳｔ７）。
【００８４】
次にＦＰＧＡ１０ａは送信部２００ａに対して変調度を設定する（ステップＳｔ８）。このとき、ＦＰＧＡ１０ａは、上述したように、例えば変調度に応じた抵抗値Ｒｖまたは電圧Ｅを設定することにより変調度を設定する。このようして、変調度の設定処理は実行される。
【００８５】
図８は、監視信号光Ｓｃの受信処理の一例を示すフローチャートである。本処理は、監視信号光Ｓｃを受信する場合に実行される。なお、以下の例では伝送装置１ｂの動作を挙げるが、他方の伝送装置１ａも伝送装置１ｂと同様に動作する。
【００８６】
フィルタ３４ｂは、伝送路９０から入力された合波光から主信号光Ｓｍ及び監視信号光Ｓｃを分波する（ステップＳｔ１１）。主信号光Ｓｍは光アンプ３１ｂに入力され、監視信号光Ｓｃは光スプリッタ２３ｂに入力される。光スプリッタ２３ｂは監視信号光Ｓｃを分波する（ステップＳｔ１２）。監視信号光Ｓｃは受信部２０１ｂ及びＰＤ２５ｂに入力される。以下のステップＳｔ１３とステップＳｔ１４，Ｓｔ１５は同時並行で行われる。
【００８７】
受信部２０１ｂは、一方の監視信号光Ｓｃを受信する（ステップＳｔ１３）。また、ＰＤ２５ｂは監視信号光Ｓｃの受光パワーを検出する（ステップＳｔ１４）。ＰＤ２５ｂは、監視信号光Ｓｃを光−電気変換して得た電気信号をＦＰＧＡ１０ｂに出力する。
【００８８】
ＦＰＧＡ１０ｂは、ＰＤ２５ｂから入力された電気信号に基づき、受光パワーを示すパワー情報を生成して送信部２００ｂから伝送装置１ａに通知する（ステップＳｔ１５）。このようして、監視信号光Ｓｃの受信処理は実行される。
【００８９】
本例では、監視信号光Ｓｃの受光状態を示す受光情報としてパワー情報が用いられるが、これに限定されない。例えば、受光情報として、監視信号光Ｓｃに含まれる監視制御情報の受信の完了通知が用いられてもよい。
【００９０】
この場合、ＦＰＧＡ１０ａは、監視信号光Ｓｃの受信完了通知に応じて変調度を所定の目標値以下まで低下させる。これにより、監視信号光Ｓｃの伝送品質の要求を満たしつつ、監視信号光Ｓｃの送信パワーの変化量を低減することができる。したがって、伝送装置１ａは、監視制御機能を低下させずに非線形光学効果を抑制することができる。以下に伝送装置１ａ，１ｂの動作を述べる。
【００９１】
図９は、監視制御情報の受信完了の通知処理の一例を示すフローチャートである。本処理は、監視信号光Ｓｃの受信のたびに行われる。なお、以下の例では伝送装置１ｂの動作を挙げるが、他方の伝送装置１ａも伝送装置１ｂと同様に動作する。
【００９２】
受信部２０１ｂは伝送装置１ａから監視信号光Ｓｃを受信する（ステップＳｔ２１）。監視信号光Ｓｃは光−電気変換により監視信号としてＦＰＧＡ１０ｂに入力される。
【００９３】
次にＦＰＧＡ１０ｂは、監視信号から監視制御情報を取得したか否かを判定する（ステップＳｔ２２）。例えば監視信号光Ｓｃの受光パワーが正常な受信が可能な範囲であれば、監視制御情報は取得されるが、受光パワーが正常な受信が可能な範囲外である場合、監視制御情報は取得されない。
【００９４】
ＦＰＧＡ１０ｂは、監視制御情報を取得した場合（ステップＳｔ２２のＹｅｓ）、監視制御情報の受信完了を送信部２００ｂ経由で伝送装置１ａに通知する（ステップＳｔ２３）。また、ＦＰＧＡ１０ｂは、監視制御情報を取得していない場合（ステップＳｔ２２のＮｏ）、監視制御情報の受信完了を通知せずに処理を終了する。このようして、監視制御情報の受信完了の通知処理は実行される。
【００９５】
伝送装置１ａは、監視信号光Ｓｃを送信中、他方の伝送装置１ｂからの受信完了通知の有無を判定し、判定結果に応じて変調度を制御する。
【００９６】
図１０は、変調度の設定処理の他の例を示すフローチャートである。本処理は、監視信号光Ｓｃの送信とともに実行される。なお、変調度の設定手段は、図３及び図６を参照して述べたとおりである。
【００９７】
ＦＰＧＡ１０ａは変調度を所定値ｈ［１］に設定する（ステップＳｔ３１）。所定値ｈ［１］は、変調度の初期値であり、例えば１００（%）である。
【００９８】
次にＦＰＧＡ１０ａは、他方の伝送装置１ｂからの監視信号光Ｓｃの受信完了通知の有無を判定する（ステップＳｔ３２）。このとき、ＦＰＧＡ１０ａは、例えばステップＳｔ３１の処理の実行完了からの経過時間をタイマなどで監視し、タイマが満了するまでに受信完了通知を受信したか否かを判定する。ＦＰＧＡ１０ａは、受信完了通知を受けていない場合（ステップＳｔ３２のＮｏ）、処理を終了する。
【００９９】
ＦＰＧＡ１０ａは、受信完了通知を受けた場合（ステップＳｔ３２のＹｅｓ）、変調度を所定値ｈ［２］に設定する（ステップＳｔ３３）。所定値ｈ［２］は、例えば５０（%）である。次にＦＰＧＡ１０ａは、変数ｎ（正の整数）を３にセットする（ステップＳｔ３４）。
【０１００】
ｈ［ｎ］＝｜ｈ［ｎ−２］−ｈ［ｎ−１］｜／２   ・・・（１）
【０１０１】
次にＦＰＧＡ１０ａは、上記の式（１）に従って変数ｈ［ｎ］を算出する（ステップＳｔ３５）。最初にステップＳｔ３５が実行された場合、所定値ｈ［１］＝１００（%）かつ所定値ｈ［２］＝５０（%）とすると、ＦＰＧＡ１０ａは、ｈ［３］＝２５（%）（＝（１００−５０）／２）を算出する。
【０１０２】
次にＦＰＧＡ１０ａは、他方の伝送装置１ｂからの監視信号光Ｓｃの受信完了通知の有無を判定する（ステップＳｔ３６）。このとき、ＦＰＧＡ１０ａは、例えばステップＳｔ３３の処理の実行完了からの経過時間をタイマなどで監視し、タイマが満了するまでに受信完了通知を受信したか否かを判定する。
【０１０３】
変調度＝ｈ［ｎ−１］＋ｈ［ｎ］    ・・・（２）
変調度＝ｈ［ｎ−１］−ｈ［ｎ］    ・・・（３）
【０１０４】
ＦＰＧＡ１０ａは、受信完了通知を受けていない場合（ステップＳｔ３６のＮｏ）、変調度が低いために監視信号光Ｓｃが正常に受光されていないと判断し、式（２）から変調度を算出して設定する（ステップＳｔ３９）。この場合、変調度は増加する。
【０１０５】
次にＦＰＧＡ１０ａは、変数ｎに１を加算して（ステップＳｔ４０）、ステップＳｔ３５以降の各処理を実行する。なお、この場合、ＦＰＧＡ１０ａは、ステップＳｔ３６において、例えばステップＳｔ３９の処理の実行完了からの経過時間をタイマなどで監視し、タイマが満了するまでに受信完了通知を受信したか否かを判定する。
【０１０６】
また、ＦＰＧＡ１０ａは、受信完了通知を受けた場合（ステップＳｔ３６のＹｅｓ）、変調度が十分に高いために監視信号光Ｓｃが正常に受光されていると判断し、式（３）から変調度を算出して設定する（ステップＳｔ３７）。この場合、変調度は減少する。
【０１０７】
次にＦＰＧＡ１０ａは変調度と所定の目標値を比較する（ステップＳｔ３８）。目標値は、例えばＦＰＧＡ１０ａに予め設定されている。
【０１０８】
ＦＰＧＡ１０ａは、変調度が目標値より高い場合（ステップＳｔ３８のＮｏ）、変数ｎに１を加算して（ステップＳｔ４０）、ステップＳｔ３５以降の各処理を実行する。なお、この場合、ＦＰＧＡ１０ａは、ステップＳｔ３６において、例えばステップＳｔ３７の処理の実行完了からの経過時間をタイマなどで監視し、タイマが満了するまでに受信完了通知を受信したか否かを判定する。
【０１０９】
また、ＦＰＧＡ１０ａは、変調度が目標値以下である場合（ステップＳｔ３８のＹｅｓ）、変調度が十分に低下したと判断して処理を終了する。このようして、変調度の設定処理は実行される。
【０１１０】
このように、ＦＰＧＡ１０ａは、変調度を、監視信号光Ｓｃの監視制御情報が取得される範囲内の値に制御する。このため、ＦＰＧＡ１０ａは、例えば図４に示されるような変調度ＤＢ１２０を用いることなく、他方の伝送装置１ｂでの監視制御情報の受信の成否に応じて変調度を低下させることができる。このため、変調度の設定時間が短縮される。
【０１１１】
上述した実施形態は本発明の好適な実施の例である。但し、これに限定されるものではなく、本発明の要旨を逸脱しない範囲内において種々変形して実施可能である。
【０１１２】
なお、以上の説明に関して更に以下の付記を開示する。
（付記１）  主信号光を、伝送路を介して他の伝送装置に伝送する伝送装置において、
前記伝送装置及び前記他の伝送装置の監視制御に関する信号に基づく強度変調により監視信号光を生成する生成部と、
前記監視信号光を前記主信号光に合波する合波部と、
前記他の伝送装置から前記監視信号光の受光状態に関する受光情報を取得する取得部と、
前記受光情報に応じて前記強度変調の変調度を制御する制御部とを有することを特徴とする伝送装置。
（付記２）  前記受光情報は、前記他の伝送装置における前記監視信号光の受光パワーを示し、
前記制御部は、前記受光パワーに応じて前記強度変調の変調度を制御することを特徴とする付記１に記載の伝送装置。
（付記３）  前記受光情報は、前記他の伝送装置における前記監視制御に関する信号の受信の完了を示し、
前記制御部は、前記強度変調の変調度を、前記受光情報が取得される範囲内の値に制御することを特徴とする付記１に記載の伝送装置。
（付記４）  前記生成部は、前記監視信号光を出力するレーザダイオードと、前記強度変調に用いられる変調電流を前記レーザダイオードに出力する変調回路と、前記変調回路の電源ラインに接続された可変抵抗器とを有し、
前記制御部は、前記受光情報に応じて前記可変抵抗器の抵抗値を調整することにより前記強度変調の変調度を制御することを特徴とする付記１乃至３の何れかに記載の伝送装置。
（付記５）  前記生成部は、前記監視信号光を出力するレーザダイオードと、前記強度変調に用いられる変調電流を前記レーザダイオードに出力する変調回路と、前記変調回路の電源ラインに接続された抵抗器とを有し、
前記制御部は、前記抵抗器に印加される電圧を前記受光情報に応じて調整することにより前記強度変調の変調度を制御することを特徴とする付記１乃至３の何れかに記載の伝送装置。
（付記６）  主信号光を、伝送路を介して他の伝送装置に伝送する第１伝送装置と、
前記第１伝送装置から前記伝送路を介して前記主信号光を受光する第２伝送装置とを有し、
前記第１伝送装置は、
前記第１伝送装置及び前記第２伝送装置の監視制御に関する信号に基づく強度変調により監視信号光を生成する生成部と、
前記監視信号光を前記主信号光に合波する合波部と、
前記第２伝送装置から前記監視信号光の受光状態に関する受光情報を取得する取得部と、
前記受光情報に応じて前記強度変調の変調度を制御する制御部とを有し、
前記第２伝送装置は、
前記伝送路から入力された前記主信号光及び前記監視信号光を分波する分波部と、
前記監視信号光の前記受光状態を検出する検出部と、
前記検出部が検出した前記受光状態から前記受光情報を生成して前記第１伝送装置に通知する通知部とを有することを特徴とする伝送システム。
（付記７）  前記受光情報は、前記第２伝送装置における前記監視信号光の受光パワーを示し、
前記制御部は、前記受光パワーに応じて前記強度変調の変調度を制御することを特徴とする付記６に記載の伝送システム。
（付記８）  前記受光情報は、前記第２伝送装置における前記監視制御に関する信号の受信の完了を示し、
前記制御部は、前記強度変調の変調度を、前記受光情報が取得される範囲内の値に制御することを特徴とする付記６に記載の伝送システム。
（付記９）  前記生成部は、前記監視信号光を出力するレーザダイオードと、前記強度変調に用いられる変調電流を前記レーザダイオードに出力する変調回路と、前記変調回路の電源ラインに接続された可変抵抗器とを有し、
前記制御部は、前記受光情報に応じて前記可変抵抗器の抵抗値を調整することにより前記強度変調の変調度を制御することを特徴とする付記６乃至８の何れかに記載の伝送システム。
（付記１０）  前記生成部は、前記監視信号光を出力するレーザダイオードと、前記強度変調に用いられる変調電流を前記レーザダイオードに出力する変調回路と、前記変調回路の電源ラインに接続された抵抗器とを有し、
前記制御部は、前記抵抗器に印加される電圧を前記受光情報に応じて調整することにより前記強度変調の変調度を制御することを特徴とする付記６乃至８の何れかに記載の伝送システム。
（付記１１）  主信号光を、伝送装置から伝送路を介して他の伝送装置に伝送する伝送方法において、
前記伝送装置及び前記他の伝送装置の監視制御に関する信号に基づく強度変調により監視信号光を生成し、
前記監視信号光を前記主信号光に合波し、
前記他の伝送装置から前記監視信号光の受光状態に関する受光情報を取得し、
前記受光情報に応じて前記強度変調の変調度を制御することを特徴とする伝送方法。
（付記１２）  前記受光情報は、前記他の伝送装置における前記監視信号光の受光パワーを示し、
前記受光パワーに応じて前記強度変調の変調度を制御することを特徴とする付記１１に記載の伝送方法。
（付記１３）  前記受光情報は、前記他の伝送装置における前記監視制御に関する信号の受信の完了を示し、
前記強度変調の変調度を、前記受光情報が取得される範囲内の値に制御することを特徴とする付記１１に記載の伝送方法。
（付記１４）  前記伝送装置は、前記監視信号光を出力するレーザダイオードと、前記強度変調に用いられる変調電流を前記レーザダイオードに出力する変調回路と、前記変調回路の電源ラインに接続された可変抵抗器とを有し、
前記受光情報に応じて前記可変抵抗器の抵抗値を調整することにより前記強度変調の変調度を制御することを特徴とする付記１１乃至１３の何れかに記載の伝送方法。
（付記１５）  前記伝送装置は、前記監視信号光を出力するレーザダイオードと、前記強度変調に用いられる変調電流を前記レーザダイオードに出力する変調回路と、前記変調回路の電源ラインに接続された抵抗器とを有し、
前記抵抗器に印加される電圧を前記受光情報に応じて調整することにより前記強度変調の変調度を制御することを特徴とする付記１１乃至１３の何れかに記載の伝送方法。
【符号の説明】
【０１１３】
１ａ，１ｂ      伝送装置
１０ａ，１０ｂ     ＦＰＧＡ
２０ａ，２０ｂ     ＳＦＰ
２５ａ，２５ｂ     ＰＤ
３３ａ，３３ｂ，３４ａ，３４ｂ   フィルタ
５０       電源ライン
５３，５３ａ      調整抵抗器
５６       レーザダイオード
９０，９１      伝送路
５４１      パルス変調回路
【図１Ａ】
2020202469.tif 000003
【図１Ｂ】
2020202469.tif 000004
【図２】
2020202469.tif 000005
【図３】
2020202469.tif 000006
【図４】
2020202469.tif 000007
【図５】
2020202469.tif 000008
【図６】
2020202469.tif 000009
【図７】
2020202469.tif 000010
【図８】
2020202469.tif 000011
【図９】
2020202469.tif 000012
【図１０】
2020202469.tif 000013